(57)【要約】【課題】スタック型マガジン構造の光ディスク媒体において、媒体情報を簡単に書き込むとともにオフライン状態においても媒体情報を容易に視認できるようにする。【解決手段】光ディスク媒体１００は、複数のデータ記録用ディスク１０２を積層するとともに、その積層方向端部に描画用ディスク１０１を配置し、光ディスク媒体１００の媒体情報１２０を視認可能な描画情報として書き込んでおく。ここで、描画用ディスク１０１に対向するパッケージ１１０の面の一部または全部には、媒体情報１２０を視認するための視認用窓１３０を設ける。データストレージシステムでは、描画用ディスク１０１に対し、レーザ光を照射して媒体情報１２０を視認可能な描画情報として書き込む。【選択図】図１
2011204313.tif 000002
【特許請求の範囲】
【請求項１】
パッケージ内に複数枚の光ディスクを収納しデータを記録するマガジン構造の光ディスク媒体において、
複数のデータ記録用ディスクを積層するとともに、その積層方向端部に、当該光ディスク媒体の媒体情報を視認可能な描画情報として書き込んだ描画用ディスクを配置したことを特徴とする光ディスク媒体。
【請求項２】
請求項１記載の光ディスク媒体において、
前記描画用ディスクに対向する前記パッケージの面の一部または全部に、前記媒体情報を視認するための視認用窓を設けたことを特徴とする光ディスク媒体。
【請求項３】
請求項１記載の光ディスク媒体において、
前記描画用ディスクに書き込まれている前記媒体情報は、当該光ディスク媒体を識別する情報または当該光ディスク媒体の記録内容を示す情報であることを特徴とする光ディスク媒体。
【請求項４】
請求項３記載の光ディスク媒体において、
前記媒体情報は、当該光ディスク媒体に収納するデータ記録用ディスクの組合せ及び該ディスクの配置の情報を含むことを特徴とする光ディスク媒体。
【請求項５】
請求項４記載の光ディスク媒体において、
前記媒体情報は、さらに、当該光ディスク媒体がデータ記録用ディスクの配置の入れ替えを許容する使用形態に対応するものであるか、あるいはデータ記録用ディスクの配置を固定する使用形態に対応するものであるかを示す識別情報を含むことを特徴とする光ディスク媒体。
【請求項６】
請求項１または３記載の光ディスク媒体において、
前記描画用ディスクには前記媒体情報が、文字又は画像の描画情報として書き込まれていることを特徴とする光ディスク媒体。
【請求項７】
請求項１ないし６のいずれか１項に記載の光ディスク媒体を用いてデータを記録・再生するデータストレージシステムにおいて、
前記光ディスク媒体から、指示された光ディスクをローディングするディスクチェンジャー部と、
ローディングされた前記描画用ディスクに対し、第１のレーザ光を照射して前記媒体情報を視認可能な描画情報として書き込むとともに、ローディングされた前記データ記録用ディスクに対して第２のレーザ光を照射してデータの記録・再生を行うディスクドライブ部と、
を備えたことを特徴とするデータストレージシステム。
【請求項８】
請求項７記載のデータストレージシステムにおいて、
前記描画用ディスクに書き込む媒体情報として、当該光ディスク媒体の記録内容を示す描画用データを作成する第１の描画作成部と、当該光ディスク媒体を識別する描画用データを作成する第２の描画作成部と、
を備えたことを特徴とするデータストレージシステム。
【発明の詳細な説明】
【技術分野】
【０００１】
本発明は、複数枚の光ディスクを収納したマガジン構造の光ディスク媒体及びこれを用いるデータストレージシステムに係り、特に光ディスク媒体の媒体情報を容易に視認可能とする技術に関する。
【背景技術】
【０００２】
光ディスクを用いたデータストレージシステムでは、複数枚の光ディスクを収納したマガジン構造の光ディスク媒体をディスクチェンジャーに装填し、選択された光ディスクに対してディスクドライブにより情報を記録再生する構成となっている。このシステムでは、光ディスク媒体を個別に識別する必要があり、そのための識別方法として次のような提案がなされている。
【０００３】
特許文献１には、マガジンに収納された光ディスクカートリッジの識別を行うために、マガジンとカートリッジに共通の識別番号を設けることが記載されている。この識別番号は、例えばインクジェットプリンターなどで印字したもの、あるいはラベルに印字したものを貼着したものである。特許文献２には、識別情報の書き換えを容易にするため、マガジンにＩＣメモリを搭載することが記載されている。マガジンをディスクチェンジャーに挿入すると、ＩＣメモリから光ディスクカートリッジの管理情報を読み出して識別するものである。
【０００４】
一方、光ディスク単体に対し、上記したプリンターやペンなどを使わず、光ディスクのレーベル面にレーザ光を照射して文字や画像を直接形成する技術が知られている。これは「ライトスクライブ」とも呼ばれ、特許文献３にはディスクドライブのレーザ光により画像形成を行うための方法が、また特許文献４には画像形成のためのディスク構成材料について記載されている。
【先行技術文献】
【特許文献】
【０００５】
【特許文献１】特開平９−８２０５４号公報
【特許文献２】特開平９−２１２９８４号公報
【特許文献３】特開２００２−２０３３２１号公報
【特許文献４】特表２００６−５２７０９７号公報
【発明の概要】
【発明が解決しようとする課題】
【０００６】
複数の光ディスクを収納し各ディスクを同時に扱うマガジン構造の光ディスク媒体を用いるデータストレージシステムの場合、１つのマガジンに収容される光ディスクの配置又は組合せは固定されているので、光ディスクを個々に識別する必要はなく、マガジン単位で識別し媒体情報を取得できれば良い。以下、このような媒体を、スタック型マガジン構造と呼ぶことにする。また、マガジンの管理検索のためには、マガジンがチェンジャーから外されたオフライン状態でも、その媒体情報を簡単に取得できることが望まれる。その場合、各マガジンの識別番号などを特別な読取装置を使用することなく、視覚により容易に判別できれば便利である。
【０００７】
特許文献１の場合、マガジンに識別番号などの視認可能な情報を設けることができるが、インクジェットプリンター等の印刷装置が必要となり、システムの大型化とコストアップにつながる。特許文献２の場合、マガジンに搭載したＩＣメモリにより光ディスクカートリッジの管理を行うことができるが、ＩＣメモリの書き込み／読み出し装置が必要となる。なお、ＩＣメモリだけでは識別番号等を視覚により直接判別することができないので、オフライン状態での管理には向かない。
【０００８】
特許文献３や特許文献４に記載されるライトスクライブ法は、光ディスクを１枚ごとに文字や画像を形成して視覚により識別することが可能となる。しかし、複数枚の光ディスクを収納したマガジン構造の光ディスク媒体の場合、マガジン単位でどのようにして識別するかについては記載されていない。
【０００９】
本発明は、スタック型マガジン構造の光ディスク媒体であって、媒体情報を簡単に書き込むとともにオフライン状態においても媒体情報を容易に視認することのできる光ディスク媒体及びこれを用いるデータストレージシステムを提供するものである。
【課題を解決するための手段】
【００１０】
本発明は、パッケージ内に複数枚の光ディスクを収納しデータを記録するマガジン構造の光ディスク媒体であって、複数のデータ記録用ディスクを積層するとともに、その積層方向端部に、光ディスク媒体の媒体情報を視認可能な描画情報として書き込んだ描画用ディスクを配置した構成とする。ここで、描画用ディスクに対向するパッケージの面の一部または全部には、媒体情報を視認するための視認用窓を設ける。
【００１１】
また本発明は、前記した光ディスク媒体を用いてデータを記録・再生するデータストレージシステムであって、光ディスク媒体から、指示された光ディスクをローディングするディスクチェンジャー部と、ローディングされた描画用ディスクに対し、第１のレーザ光を照射して媒体情報を視認可能な描画情報として書き込むとともに、ローディングされたデータ記録用ディスクに対して第２のレーザ光を照射してデータの記録・再生を行うディスクドライブ部とを備えた構成とする。
【発明の効果】
【００１２】
本発明によれば、スタック型マガジン構造の光ディスク媒体であって、媒体情報を簡単に書き込むとともにオフライン状態においても媒体情報を容易に視認することのできる光ディスク媒体及びこれを用いるデータストレージシステムを提供することができる。
【図面の簡単な説明】
【００１３】
【図１】本発明による光ディスク媒体の一実施例を示す構成図である。
【図２】複数のディスクの配置が固定されて使用される一例を示す図である。
【図３】光ディスク媒体のパッケージの各種形状を示す外観図である。
【図４】本発明によるデータストレージシステムの一実施例を示す構成図である。
【図５Ａ】描画用ディスクへの記録動作を説明する図である。
【図５Ｂ】データ記録用ディスクへの記録動作を説明する図である。
【図６Ａ】第１の描画用データの作成を説明する図である。
【図６Ｂ】第２の描画用データの作成を説明する図である。
【発明を実施するための形態】
【００１４】
以下、本発明の実施形態について図面を用いて説明する。
図１は、本発明による光ディスク媒体の一実施例を示す構成図である。１００ａ〜１００ｃはマガジン構造の光ディスク媒体１００の構成を示し、１００ａは外観図、１００ｂは内部構成図、１００ｃはディスク取り出し（ローディング）状態を示す。
【００１５】
光ディスク媒体１００は、パッケージ１１０内に複数枚の光ディスクを収納し、必要に応じて取り出せるマガジン構造の媒体である。各光ディスクは図のように横置きで積層し、積層方向の端面、例えばパッケージ１１０の上面側にて当該光ディスク媒体１００の媒体情報を視認するものとする。そのため、収納される最上面のディスクには描画用ディスク１０１を配置し、２枚目からはデータ記録用ディスク１０２を複数枚配置する。描画用ディスク１０１は描画用の特殊な材料を塗布したディスクであり、その上面側には、当該媒体１００の媒体情報１２０を視認可能な描画情報として書き込んでいる。媒体情報１２０は、当該光ディスク媒体１００を識別するとともに当該媒体の記録内容等を示すための文字や画像などの情報であり（図では「ＡＢＣ」という文字情報の例を示す）、視覚によりその内容が容易に判別できる描画情報としている。データ記録用ディスク１０２には、例えば大容量記録が可能なＢＤ（Ｂｌｕ−ｒａｙ）ディスクを用いる。データ記録用ディスク１０２は片面記録でも両面記録でも良い。複数のデータ記録用ディスク１０２の配置は互いに入れ替えを許容するが、１つのパッケージ１１０に収納される各ディスク１０２の組合せは変えず、また描画用ディスク１０１は常に最上面に位置するスタック型構成としている。パッケージ１１０の上面、すなわち、描画用ディスク１０１に対向する面には、描画用ディスク１０１に書き込んだ媒体情報１２０（描画情報）が視認できるように、透明材からなる視認用窓１３０を設けている。
【００１６】
ここで描画用ディスク１０１への媒体情報１２０の書き込みは、光ディスク表面に塗布された特殊なインク（感光性材料）にレーザ光を照射して文字や画像を直接描画したものである。描画のためには、前記特許文献３や特許文献４に開示された技術を用いることができる。
【００１７】
マガジン構造の光ディスク媒体１００は、後述するディスクチェンジャーに装填される。ディスクチェンジャーでは、所望のデータ記録用ディスク１０２ｘを選択し、ディスク取出し口１４０から引き出して（ローディング）、データの記録または再生が行われる。更に、描画用ディスク１０１についてもディスク取出し口１４０から引き出され、媒体情報１２０を書き込み（または更新）することができる。
【００１８】
一方、パッケージ１１０内の複数のデータ記録用ディスク１０２の配置を入れ替えることなく、その配置を固定して使用する形態も可能である。
図２は、複数のディスクの配置が固定されて使用される一例を示す図である。各ディスク１０２ａ〜１０２ｄはその配置（順序）が固定されており、これらにデータを記録再生する複数のドライブ装置Ａ〜Ｄ（２０ａ〜２０ｄ）を備えている。各ディスク１０２ａ〜１０２ｄはそれぞれ各ドライブ装置Ａ〜Ｄに装着され、それぞれ独立に、あるいは同時にデータの記録再生を行うことができる。この使用形態によれば、パッケージ１１０内の各ディスク１０２ａ〜１０２ｄを区別し（役割を分担し）、これらに記録するデータの種類などを異ならせることが可能となる。
【００１９】
図２のような使用形態では、複数のディスクに対して特殊な記録再生行うことが必要になるので、パッケージ１１０内のディスクの組合せだけでなくその配置（順序）が重要になる。よって、前記したような通常の使用形態、すなわち、複数のディスクの配置の入れ替えを許容する使用形態とは区別して扱わなければならない。そのために前記媒体情報１２０として、パッケージ内のディスクの組合せの情報とともに、ディスクの配置（順序）の情報をも記録する。さらには前記媒体情報１２０に、当該光ディスク媒体１００が、通常の使用形態（ディスクの配置の入れ替えを許容する）に対応するものであるか、あるいは特殊な使用形態（ディスクの配置を固定する）に対応するものであるかを示す識別情報（または識別マーク）を記録しておく。
【００２０】
図３は、光ディスク媒体１００のパッケージ１１０の各種形状を示す外観図である。パッケージ１１０に設けた視認用窓１３０の各種窓形状の例を示す。視認用窓１３０ａは、パッケージ１１０の上面のほぼ全面に透明材の窓を設けた場合で、描画用ディスク１０１の描画面の全体が見えるようにしたものである。視認用窓１３０ｂは、パッケージ１１０の上面のほぼ半面に透明材の窓を設けた場合である。また、視認用窓１３０ｃは、パッケージ１１０の上面の一部分に透明材の窓を設けた場合である。視認用窓１３０ｂや視認用窓１３０ｃでは描画用ディスク１０１の描画面の全体は見えないが、媒体情報１２０（描画情報）が同一情報を繰り返しているときのように、描画面の一部を見ただけで媒体情報１２０を判別できる場合に有効である。
【００２１】
このように本実施例の光ディスク媒体１００は、複数のデータ記録用ディスク１０２を積層するとともに、その積層方向端部に、媒体情報を視認可能な描画情報として書き込んだ描画用ディスク１０１を配置した構成としている。よって、光ディスク媒体１００がチェンジャーから外されたオフライン状態においても、その媒体１００の媒体情報を描画情報により容易に視認することができる。
【００２２】
図４は、本発明によるデータストレージシステムの一実施例を示す構成図である。データストレージシステムは、ディスクチェンジャー部１０、ディスクドライブ部２０、パーソナルコンピュータ（ＰＣ）部３０を備える。各部の構成を説明する。
【００２３】
ディスクチェンジャー部１０には、前記したマガジン構造の光ディスク媒体１００が装填される。ディスクローディング部１１は光ディスク媒体１００から、指示された光ディスクをローディングする。ディスクが両面記録の場合には、ディスク反転の操作も行う。チェンジャー制御部１２はディスクローディング部１１を制御し、ローディングするディスクを選択する。ローディングするディスクは、データ記録用ディスク１０２だけでなく描画用ディスク１０１も可能とする。
【００２４】
ディスクドライブ部２０は、ローディングされたディスクに対してデータの記録または記録再生を行う。すなわち、描画用ディスク１０１に対しては媒体情報の記録（以下、描画記録）を、データ記録用ディスク１０２に対してはデータの記録・再生を行う。このため波長の異なる２つのレーザ光源を有し、例えば第１の光源（ＬＤ１）２１ａは波長７８０ｎｍ（ＣＤ用）、第２の光源（ＬＤ２）２１ｂは波長４０５ｎｍ（ＢＤ用）のレーザ光を発生する。第１の光源（ＬＤ１）２１ａは描画用ディスク１０１への描画記録、第２の光源（ＬＤ２）２１ｂはデータ記録用ディスク１０２へのデータの記録・再生に用いる。レーザ切替部２２は、第１の光源（ＬＤ１）２１ａと第２の光源（ＬＤ２）２１ｂの一方を選択して動作させ、記録信号生成部２３は、描画用またはデータ用の記録用信号を生成してレーザ切替部２２に供給する。第２描画作成部２４は、描画用ディスク１０１へ記録する第２の媒体用データを作成する。ドライブコントローラ２５は、描画記録とデータ記録・再生の２つの動作に応じて、ディスクドライブ部２０の各部の動作を制御する。
【００２５】
ＰＣ部３０は、ディスクチェンジャー部１０とディスクドライブ部２０に接続し、これらを制御する。第１描画作成部３１は、描画用ディスク１０１へ記録する第１の媒体用データを作成する。ホストコンピュータ３２はディスクドライブ部２０との間で、描画用ディスク１０１へ記録する第１の媒体用データ及びデータ記録用ディスク１０２に記録・再生するデータの受け渡しを行う。
【００２６】
図５Ａと図５Ｂは、本実施例のデータストレージシステムにおける記録動作の切り替えを説明する図である。
図５Ａは、描画用ディスク１０１への記録動作を説明する図である。ドライブコントローラ２５からの指示により、記録信号生成部２３から文字や画像を形成するための描画用信号が出力されレーザ切替部２２に送られる。レーザ切替部２２では第１の光源（ＬＤ１）２１ａを動作させ、描画用信号で変調したレーザ光（波長７８０ｎｍ）を描画用ディスク１０１に照射し、媒体情報を記録（描画）する。
【００２７】
図５Ｂは、データ記録用ディスク１０２への記録動作を説明する図である。ドライブコントローラ２５からの指示により、記録信号生成部２３から記録データ用信号が出力されレーザ切替部２２に送られる。レーザ切替部２２では第２の光源（ＬＤ２）２１ｂを動作させ、データ用信号で変調したレーザ光（波長４０５ｎｍ）をデータ記録用ディスク１０２に照射し、データを記録する。なお、データ記録用ディスク１０２からの再生動作の場合も同様であり、第２の光源（ＬＤ２）２１ｂから再生用レーザ光（波長４０５ｎｍ）を照射し、データ記録用ディスク１０２からデータを再生する。
【００２８】
このように、本実施例のデータストレージシステムによれば、マガジン構造の光ディスク媒体１００のうち、データ記録用ディスク１０２に対してデータの記録・再生を行うだけでなく、描画用ディスク１０１に対して媒体情報の記録を行うことができる。よって、媒体情報を記録するために新たな装置を必要としない。具体的には、ディスクドライブ部２０に描画用の光源２１ａを追加することと、ホストコンピュータ３２に描画用のアプリケーションソフトを追加すればよいので、簡単に対応できる。
【００２９】
図６Ａと図６Ｂは、本実施例における媒体情報の具体例を説明するものである。媒体情報は、ＰＣ部３０とディスクドライブ部２０とでそれぞれ作成し、これらを合わせて描画用ディスク１０１に記録することができる。
図６Ａは、ＰＣ部３０による第１の描画用データの作成を説明する図である。ＰＣ部３０の第１描画作成部３１は第１の描画用データを作成する。第１の描画用データには、当該光ディスク媒体１００の記録内容を示す画像ファイルや、ホストコンピュータ３２で作成したデータベースと合致する固有番号などが含まれる。これらのデータは、ユーザが使い易いように適宜変更することができる。第１描画作成部３１で作成した第１の描画用データは、ホストコンピュータ３２からドライブコントローラ２５を介して、記録信号生成部２３へ送られる。
【００３０】
図６Ｂは、ディスクドライブ部２０による第２の描画用データの作成を説明する図である。ディスクドライブ部２０の第２描画作成部２４は第２の描画用データを作成する。第２の描画用データには、ドライブ部２０の固有のＩＤ情報（ＩＤ番号、名称）やディスク作成日時、ディスク作成の連続番号などが含まれる。第２描画作成部２４で作成した第２の描画用データは、ドライブコントローラ２５を介して、記録信号生成部２３へ送られる。
【００３１】
このようにして、ＰＣ部３０とディスクドライブ部２０とで作成された第１、第２の描画用データは、光ディスク媒体１００の媒体情報として描画用ディスク１０１に合わせて記録される。媒体情報は、光ディスク媒体１００へ記録されているデータの内容が変更される毎に、これに連動して更新するのが良い。もちろんユーザは、描画用ディスク１０１に記録する描画用データを適宜選択することができる。この結果、ユーザは描画用ディスク１０１の描画面から、その光ディスク媒体１００の媒体情報を目視により容易に取得することができる。
【００３２】
上記実施例では、描画用ディスク１０１には媒体情報を視認できる形態で（視認情報として）記録するものとしたが、媒体情報をバーコードやＱＲコード（登録商標）などの形態で追加記録すれば、視認機能と同時にコードリーダーによる媒体判別ができ便利である。更には、描画用ディスク１０１の描画領域以外の領域（例えば内周領域）に、媒体情報をデータ信号として追加記録することもできる。この場合には、ディスクドライブ部２０により媒体情報を記録するだけでなく、記録されている媒体情報をディスクドライブ部２０により再生することも可能であるから、より使い勝手が優れるものとなる。
【符号の説明】
【００３３】
１０…ディスクチェンジャー部、
１１…ディスクローディング部、
１２…チェンジャー制御部、
２０…ディスクドライブ部、
２１ａ，２１ｂ…レーザ光源、
２２…レーザ切替部、
２３…記録信号生成部、
２４…第２描画作成部、
２５…ドライブコントローラ、
３０…パーソナルコンピュータ（ＰＣ）部、
３１…第１描画作成部、
３２…ホストコンピュータ、
１００…光ディスク媒体、
１０１…描画用ディスク、
１０２…データ記録用ディスク、
１１０…パッケージ、
１２０…媒体情報、
１３０…視認用窓、
１４０…ディスク取出し口。
【図１】
2011204313.tif 000003
【図２】
2011204313.tif 000004
【図３】
2011204313.tif 000005
【図４】
2011204313.tif 000006
【図５Ａ】
2011204313.tif 000007
【図５Ｂ】
2011204313.tif 000008
【図６Ａ】
2011204313.tif 000009
【図６Ｂ】
2011204313.tif 000010